(57)【特許請求の範囲】
【請求項１】
昇華性染料が塗布された熱転写シートを被印字用紙に重ね合わせ、サーマルヘッドを用いて昇華性染料が熱転写印刷される熱転写印刷物の偽造を防止するための偽造防止用印刷物において、
上記熱転写印刷される前の被印字用紙の一部範囲に、熱転写受理特性が被印字用紙よりも劣るインキであって、かつ、昇華性染料が乗らないインキでアミ点印刷を施し、熱転写印刷時には該アミ点印刷部分の上に、アミ点印刷のインキとは異なる色の昇華性染料が塗布された熱転写シートで印字を施すことで、昇華性染料による印字の色と上記アミ点印刷のインキの色が混在して見えるようにしたことを特徴とする偽造防止用印刷物。
【請求項２】
上記アミ点印刷には、グラデーションがかけられていることを特徴とする請求項１記載の偽造防止用印刷物。
【請求項３】
昇華性染料が塗布された熱転写シートを被印字用紙に重ね合わせ、サーマルヘッドを用いて昇華性染料が熱転写印刷される熱転写印刷物の偽造を防止するための偽造防止用印刷物において、
上記熱転写印刷される前の被印字用紙の一部に、熱転写受理特性が被印字用紙よりも劣るインキであって、かつ、昇華性染料が乗らないインキで所定印刷を施し、熱転写印刷時には該所定印刷部分を覆うように、所定印刷のインキとは異なる色の昇華性染料が塗布された熱転写シートでベタ印刷を施すことで、昇華性染料によるベタ印刷の間から露出した上記所定印刷のインキの輪郭が滑らかに見えるようにしたことを特徴とする偽造防止用印刷物。
【発明の詳細な説明】
【０００１】
【産業上の利用分野】
本発明は偽造防止用印刷物に関し、特に熱転写印刷で印字される印刷物の偽造防止用印刷物に関する。
【０００２】
【従来の技術】
従来より、例えば自動車の純正部品に貼られるラベル等には熱転写印刷で印字されるラベルが使用される場合があるが、この種ラベルは、その性質上偽造されてはならない。
【０００３】
このため、従来では、偽造防止のためにすかし印刷を施す場合があった。
【０００４】
【発明が解決しよとする課題】
しかしながら、このような従来の偽造防止用印刷物では、偽造防止のためにすかし印刷が施されるものの、ラベル自体の印刷は簡単に行える。
【０００５】
このため、一旦製品に貼られるなど利用に供されると、以後はすかしてみることもできず、本物との区別はつかないという不具合があった。
【０００６】
また、すかし印刷の場合、高価な印刷設備を必要とし、印刷コストが高くなるという不具合があった。
【０００７】
本発明は、上記のごとき従来の課題に鑑みてなされたもので、その目的とするところは、偽造防止効果が高く、しかも低コストに得ることのできる偽造防止用印刷物を提供することにある。
【０００８】
【課題を解決するための手段】
上記目的を達成するため、請求項１記載の発明は、昇華性染料が塗布された熱転写シートを被印字用紙に重ね合わせ、サーマルヘッドを用いて昇華性染料が熱転写印刷される熱転写印刷物の偽造を防止するための偽造防止用印刷物において、上記熱転写印刷される前の被印字用紙の一部範囲に、熱転写受理特性が被印字用紙よりも劣るインキであって、かつ、昇華性染料が乗らないインキでアミ点印刷を施し、熱転写印刷時には該アミ点印刷部分の上に、アミ点印刷のインキとは異なる色の昇華性染料が塗布された熱転写シートで印字を施すことで、昇華性染料による印字の色と上記アミ点印刷のインキの色が混在して見えるようにしたことを特徴とする。
【０００９】
請求項２記載の発明は、請求項１記載の発明において、上記アミ点印刷には、グラデーションがかけられていることを特徴とする。
【００１０】
また、上記目的を達成するため、請求項３記載の発明は、昇華性染料が塗布された熱転写シートを被印字用紙に重ね合わせ、サーマルヘッドを用いて昇華性染料が熱転写印刷される熱転写印刷物の偽造を防止するための偽造防止用印刷物において、上記熱転写印刷される前の被印字用紙の一部に、熱転写受理特性が被印字用紙よりも劣るインキであって、かつ、昇華性染料が乗らないインキで所定印刷を施し、熱転写印刷時には該所定印刷部分を覆うように、所定印刷のインキとは異なる色の昇華性染料が塗布された熱転写シートでベタ印刷を施すことで、昇華性染料によるベタ印刷の間から露出した上記所定印刷のインキの輪郭が滑らかに見えるようにしたことを特徴とする。
【００１１】
【作用】
この発明では、熱転写で印字される前の被印字用紙の一部に予め熱転写受理特性が被印字用紙より劣るインキでアミ点印刷を施し、熱転写印刷時には該アミ点印刷部分にアミ点印刷のインキとは異なる色のインキで熱転写印刷を施して、アミ点印刷のインキが露出するようにしている。
【００１２】
このため、印字色がアミ点の色と熱転写印刷のインクの色とが混ざった色になり、偽造しにくい色となる。このため、高い偽造防止効果がある。
【００１３】
また、この発明では、熱転写で印字される前の被印字用紙の一部に熱転写受理特性が被印字用紙より劣るインキで所定印字を施し、熱転写印刷時には該所定印刷部分を覆うように、かつ該所定印刷のインキとは異なる色のインキでベタ印字を施し、所定印刷のインキが露出するようにしている。
【００１４】
この場合、サーマルヘッドの荒い熱転写のドットで所定印刷の白抜きパターンを印字した場合、印字の輪郭はゴツゴツしたものとなるが、本発明のように予め印刷された所定印刷が熱転写印刷のベタの間から露出するようにした場合、印字の輪郭は滑らかになる。
【００１５】
このため、サーマルヘッドの荒い熱転写のドットで印字した場合と容易に区別でき、高い偽造防止効果がある。
【００１６】
【実施例】
以下、本発明に係る偽造防止用印刷物の実施例を図面に基づいて説明する。
【００１７】
なお、以下の説明では、偽造防止用印刷物の一例として、メーカー等が自社製品に貼付するラベルの場合について説明する。
【００１８】
まず、図１乃至図３を参照して、本発明の第１の実施例を説明する。
【００１９】
図１において、１は熱転写印刷で印字される前のラベル用被印字用紙で、被印字用紙１の一部にはアミ点２が、被印字用紙１より熱転写受理特性が劣るインキで、所定の色彩を有して印刷される。
【００２０】
次に、図２に示すごとく、被印字用紙１上に熱転写印刷で所定の印字４が印刷され、同時にアミ点２の印刷部分にはアミ点２内に収まるように例えばメーカーのロゴ３等が印字されるが、この場合の印字色はアミ点２の色とは異なったものとする。
【００２１】
なお、熱転写印刷は、被印字用紙１に重ね合わせたインキリボンやカラーシートに塗布された固型インキあるいは昇華性染料をサーマルヘッド（発熱抵抗体）により加熱し、被印字用紙１に熱転写記録するものであるが、熱転写印刷そのものについての構成は、本発明の要旨と直接関係ないので、その詳細説明は省略する。
【００２２】
以上が本実施例の構成であるが、次にその作用を説明する。
【００２３】
本実施例では、上記のごとく、被印字用紙１より熱転写受理特性が劣るインキで、予めアミ点２が印刷される。従って、この状態で、図２に示すごとく、被印字用紙１に熱転写印刷を施すと、アミ点２上にはインキが乗らず、ロゴ３の印字部分のうち、アミ点印刷部分はインキが抜ける。
【００２４】
図３は、こうしたロゴ３の印字部分のうち、アミ点印刷部分のインキが抜けた状態を示す部分拡大図であるが、熱転写印刷で印字されたロゴ３のうち、アミ点２上には、熱転写によるインキは乗らない。
【００２５】
従って、ロゴ３の印字色は、アミ点２の色とロゴ３の色が混ざったものとなり、周囲の印字部分４の色とは違った色となる。例えば、アミ点２の色が赤で、ロゴ３の色（例えばインクリボンの色）が黒なら、ロゴ３は褐色のように見える。
【００２６】
この様に、本実施例では、ロゴ３の印字色が周囲の熱転写の色と異なった複雑な色となるので、ロゴ３の部分の偽造は難しく、高い偽造防止効果が得られる。
【００２７】
また、すかし印刷を施す場合等に比して、高価な印刷機械を必要としないので、低コストに偽造防止ラベル等を得ることができる。
【００２８】
また、すかし印刷の場合と異なり、目視で真偽の判別ができるので、簡単に真偽の判別ができることになる。
【００２９】
なお、以上の説明では、アミ点２の色は同一階調としたが、アミ点２の色にグラデーションをかけても良く、この場合は、さらに高い偽造防止効果が得られる。
【００３０】
次に、図４乃至図７を参照して、本発明の第２の実施例を説明する。
【００３１】
なお、上記第１の実施例と同一構成部分には同一符号を付して説明する。
【００３２】
図４において、１は熱転写印刷で印字される前のラベル用被印字用紙で、地色は白色である。ここで、被印字用紙１の一部にはメーカー等のロゴ５が印刷されるが、この場合使用されるインキは、被印字用紙１より熱転写受理特性が劣る透明インキで、しかも熱転写印刷時、インキ上には熱転写によるインキが乗らないようなインキである。
【００３３】
こうして、被印字用紙１の一部にロゴ５が印刷されると、次に図５に示すごとく、被印字用紙１上に熱転写印刷で所望の印字４が印字されるが、同時にロゴ５の印刷部分にはロゴ５を覆うようにベタ印字６を施す。
【００３４】
以上が本実施例の構成であるが、次にその作用を説明する。
【００３５】
本実施例では、上記のように、予め印刷されるロゴ５は、被印字用紙１より熱転写受理特性が劣るインキであって、しかも熱転写印刷時、インキ上には熱転写によるインキが乗らないようなインキで印刷される。従って、図５に示すごとく、ロゴ５を覆うように熱転写印刷でベタ印字６を施すと、ロゴ５上にはインキが乗らず、透明インク部分が露出して、図５に示すごとく、白抜きのロゴ１５が出てくる。
【００３６】
図６は、この場合の、白抜きのロゴ１５が出てくる部分の部分拡大図であるが、ベタ印字６中に、白抜きのロゴ１５が出ている。
【００３７】
ところで、この場合、白抜きのロゴ１５の部分は、初めに印刷された透明インキの印刷パターンであり、白抜きのロゴ１５の部分の輪郭は滑らかである。
【００３８】
ところで、第三者が熱転写方式で、このようなラベルの偽造を試みた場合、図７に示すごとく、荒い熱転写のドットで印字部分を形成し、白抜き部分１０を作ることになる。従って、白抜き部分１０の輪郭は、同図に示すごとくゴツゴツしたものとなり、目視で容易に真偽の判別ができる。従って、上記第１の実施例の場合と同様、第三者によるラベルの偽造を防止できる。
【００３９】
また、上記第１の実施例の場合と同様、低コストに、かつ簡単に真偽の判別ができることになる。
【００４０】
なお、以上の説明では、白色の被印字用紙１上に透明のインキでロゴ５を印刷する場合について説明したが、ロゴ５を印刷するインキの色は透明に限らず、特に被印字用紙１の地色に合わせていろんな色彩のインキを使用できる。
【００４１】
また、以上の説明では、偽造防止用印刷物の一例として、メーカー等が自社製品に貼付するラベルの場合について説明したが、本発明はその他偽造防止措置が要求される各種ラベルや帳票にも適用できることは勿論である。
【００４２】
【発明の効果】
以上説明したように、本発明では、以下の効果を奏する。
（１）第三者による偽造が難しいので、高い偽造防止効果が得られる。
（２）高価な製造設備を必要としないので、低コストに偽造防止用印刷物を製作できる。
（３）目視で真偽の判別ができるので、簡単に真偽の判別ができる。
【図面の簡単な説明】
【図１】被印字用紙上に熱転写受理特性が被印字用紙より劣るインキでアミ点を印刷した場合の説明図。
【図２】図１に示した被印字用紙上のアミ点印刷部分に熱転写印刷でロゴを印字した場合の説明図。
【図３】図２の部分拡大図で、ロゴ印字部分の部分拡大図。
【図４】被印字用紙上に熱転写受理特性が被印字用紙より劣るインキでロゴを印刷した場合の説明図。
【図５】図４に示した被印字用紙上のロゴ印刷部分に熱転写印刷でベタ印字を施した場合の説明図。
【図６】図５の部分拡大図で、ロゴ印刷部分の部分拡大図。
【図７】熱転写印刷のドットで白抜き部分を形成した場合の説明図。
【符号の説明】
１  被印字用紙
２  アミ点
３  ロゴ
４  所定の印字
５  ロゴ
６  ベタ印字
１０  白抜き部分
１５  白抜きのロゴ
【図１】
0003599248.tif 000002
【図２】
0003599248.tif 000003
【図３】
0003599248.tif 000004
【図４】
0003599248.tif 000005
【図５】
0003599248.tif 000006
【図６】
0003599248.tif 000007
【図７】
0003599248.tif 000008